(57)【要約】      （修正有）【課題】スタンドを使わずにラミネートフィルムを自身にて立て置きすることができるラミネートフィルムスタンドを提供する。【解決手段】熱可塑性を有すフィルム間に人物，風景，ポスター用などの写真，印刷紙等を挟入し熱加圧して形成するラミネートフィルムに硬直性を付与し、且つ挟入写真，印刷紙を囲む位置に折り線を設けて、２つ折りによるＶ形の折立てスタンド，三角立体形スタンド，四角立体形スタンド，円柱形立体スタンドなどの立て置き形の立体スタンドを形成する。【選択図】図１
0003171018.tif 000002
【実用新案登録請求の範囲】
【請求項１】
熱可塑性を有すフィルム間に人物，風景，ポスター用などの写真，印刷紙等を挟入し熱加圧して形成するラミネートフィルムに硬直性を付与し、且つ挟入写真，印刷紙を囲む位置に折り線を設けて、２つ折りによるＶ形の折立てスタンド，三角立体形スタンド，四角立体形スタンド，円柱形立体スタンドなどの立て置き形の立体スタンドを形成するようにしたことを特徴とするオリジナルラミネートフィルムスタンド。
【請求項２】
ラミネートフィルムは折り立て端縁間を両面テープによる接着，雌雄の掛け止め，差込み止めホック，ボタン止めなどにて立体形を保持させる請求項１に記載のオリジナルラミネートフィルムスタンド。
【考案の詳細な説明】
【技術分野】
【０００１】
この考案はオリジナルラミネートフィルムスタンド、詳しくは卓上名札，席を案内する席札，案内札，料理メニューなどをラミネートフィルム自身にて２つ折りＶ形スタンド，三角立体形スタンド，四角立体形スタンド，円柱形立体スタンドなどの立て置き形に形成し得るようにしたラミネートフィルムスタンドに関するものある。
【背景技術】
【０００２】
この種のスタンドの従来例としては実開昭６３−１４２１７６号公報がある。該公報は氏名などをラミネートして形成する婚礼用の席を案内する席札を記載しており、この席札に設ける窓から写真が見えるようにするということのほか、別体のスタンドにて挟み立てするようにしたことを記載している。
【特許文献１】実開昭６３−１４２１７６号公報
【考案の開示】
【考案が解決しようとする課題】
【０００３】
しかしながら、席札を別体のスタンドにて挟み立てることは、スタンドを席札の数だけ揃える必要が生ずることから費用が嵩むという課題がある。また席札はスタンドによってのみ立てられて自身では全く立てないという課題がある。またスタンドに立てることで席札に見えない個所が生ずるという課題がある。
【課題を解決するための手段】
【０００４】
本考案は、熱可塑性を有すフィルム間に人物，風景，ポスター用などの写真，印刷紙等を挟入し熱加圧して形成するラミネートフィルムの材質を選択して硬直性を付与し、且つ挟入写真，印刷紙を囲む位置に戻りのない折り線を設けて、２つ折りによるＶ形の折立てスタンド，三角立体形スタンド，四角立体形スタンド，円柱形立体スタンドなの立て置き形の立体スタンドを形成するようにして、かかる課題を解決するようにしたのである。
【考案の効果】
【０００５】
本考案は、ラミネートフィルムに硬直性を付与したことと、戻りのない折り線を設けることで、スタンドを使わずに自身にて立て置き形とすることができるという効果を生ずる。
【０００６】
しかも２つ折りＶ形から、三角，四角，五角，六角，円柱形，円錐形などの立て置き立体形に形成して各方面のニーズに応えることができるという効果を生ずる。
【０００７】
自身で立つので写真などのかくれる個所ができないという効果を生ずる。
【図面の簡単な説明】
【０００８】
【図１】（ａ）は２枚のフィルムと、挟入する写真，印刷紙を各別の状態にて示す斜視図、（ｂ）は同、熱加圧と折り線を付した状態を示す正面図
【図２】真中の折り線にて２つ折りしてＶ形の立て置きラミネートフィルムスタンドを形成した例を示す斜視図
【図３】同、三角立体形のラミネートフィルムスタンドを形成した例を示す斜視図
【図４】同、四角立体形のラミネートフィルムスタンドを形成した例を示す斜視図
【図５】同、円柱立体形のラミネートフィルムスタンドを形成した例を示す斜視図
【図６】そのままポスター，吊り広告とした例を示す斜視図
【図７】円錐立体形のスタンドを形成した例を示す斜視図
【図８】六角立体形のスタンドを形成した例を示す斜視図
【図９】同、横置き形のラミネートフィルムスタンドを示す斜視図
【符号の説明】
【０００９】
１はラミネートフィルム
１ａはフィルム
２はＶ形折り立て形のラミネートフィルムスタンド
３は三角立体形のラミネートフィルムスタンド
４は四角立体形のラミネートフィルムスタンド
５は円柱立体形のラミネートフィルムスタンド
６は両面テープ
７はポスター，吊り広告
８は円錐形の立体スタンド
９は六角形の立体スタンド
１０は横置き形の立体スタンド
Ｋは顔写真
Ｗはイラスト
Ａ，Ｂ，Ｃ，Ｄ，Ｅ，Ｆ，Ｇは折り線
【考案を実施するための最良の形態】
【００１０】
本考案は、熱可塑性フィルム間に人物，風景，ポスター用などの写真，イラスト・広告等の印刷紙を挟入して必要な大きさの四角形，その他の形のラミネートフィルムを形成する。このラミネートフィルム、例えばＰＰなどの材質を選択して硬直性を付与し、且つ挟入写真，印刷紙面などを囲んで折りやすく、折ったあとに戻りが生じないようにした折り線を設けて、各折り線にてラミネートフィルムを折ることで２つ折りのＶ形折り立てスタンド，三角立体形スタンド，四角立体形スタンド，円柱立体形スタンドなどの立て置きの立体スタンドを形成するのである。
【実施例１】
【００１１】
図１乃至図６は第１実施例を示すもので、一定大きさの四角形をした２枚の熱可塑性硬直フィルム１ａ，１ａ間に例えば顔写真ＫとイラストＷを間隔を置いて並べ入れてフィルム１ａ，１ａを重ね合わせて熱加圧して写真，イラスト入りのラミネートフィルム１を形成し、次いで顔写真Ｋ，イラストＷを囲んで１乃至複数本の縦折り線Ａ，Ｂ，Ｃ，Ｄ，Ｅ，Ｆ，Ｇを形成する。各折り線は押し凹みを付すなどして折りやすくして戻りのない形にて形成する。なお、縦折り線は熱加圧と同時に形成することもできる。
【００１２】
図２は真中の縦折り線Ｄにて２つ折りしてＶ形折り立て形のラミネートフィルムスタンド２を形成したものであり、図３は３カ所の縦折り線Ｂ，Ｆ，Ｇにそって折り立てて三角立体形のラミネートフィルムスタンド３を形成したものであり、図４は４カ所の縦折り線Ａ，Ｃ，Ｅ，Ｇにて折り立てて、四角立体形のラミネートフィルムスタンド４を形成したものであり、図５は端の１カ所の縦折り線にそって丸く折り曲げて円柱立体形のラミネートフィルムスタンド５としたもので、いずれも重ね合わせ端間を両面テープ６の接着などにて結合し固定する。
両面テープ６のほかに雌雄の掛け止め，差し込み止め，ホック，ボタン止めなどで止めることもできる。
【００１３】
なおラミネートフィルム１に硬直性を付す材質としては、先に少しふれたようにＰＥＴ／ポリエチレンテレフタレート、ＰＰ／ポリプロピレンのフィルム材を採用するのであり、また熱可塑性樹脂としてＬＤＰＥ／低密度ポリエチレン，ＩＯ／アイオノマー，ＥＶＡ／エチレン酢酸ビニール共重合体を使用することもある。いずれも熱加圧後も高い透明性を有し続けて写真，イラストなどのラミネート材を鮮明に外視させることができる。
【００１４】
なお、図６はラミネートフィルム１ａを折り線にて折らずにそのままポスター７，電車内などの吊り広告８などとした例を示している。
【実施例２】
【００１５】
図７は第２実施例で、扇形などに裁断したラミネートフィルム１を丸めて円錐形の立体スタンド８を形成した例であり、図８は六角柱形の立体スタンド９とした例を示すものである。
図９に示すように横置き形の立体スタンド１０を形成することもできる。いずれも折り線などの構成は第１実施例と同じである。
【産業上の利用可能性】
【００１６】
本考案は、席を案内する席札、フォトスタンド，スタンド式のメニュー，卓上名札，案内札などが自身で立つことで広く利用し活用することができるものである。
【図１】
0003171018.tif 000003
【図２】
0003171018.tif 000004
【図３】
0003171018.tif 000005
【図４】
0003171018.tif 000006
【図５】
0003171018.tif 000007
【図６】
0003171018.tif 000008
【図７】
0003171018.tif 000009
【図８】
0003171018.tif 000010
【図９】
0003171018.tif 000011
【手続補正書】
【提出日】平成23年8月10日(2011.8.10)
【手続補正１】
【補正対象書類名】図面
【補正対象項目名】図１
【補正方法】変更
【補正の内容】
【図１】
0003171018.tif 000012
【手続補正２】
【補正対象書類名】図面
【補正対象項目名】図２
【補正方法】変更
【補正の内容】
【図２】
0003171018.tif 000013
【手続補正３】
【補正対象書類名】図面
【補正対象項目名】図４
【補正方法】変更
【補正の内容】
【図４】
0003171018.tif 000014
【手続補正４】
【補正対象書類名】図面
【補正対象項目名】図６
【補正方法】変更
【補正の内容】
【図６】
0003171018.tif 000015
【手続補正５】
【補正対象書類名】図面
【補正対象項目名】図９
【補正方法】変更
【補正の内容】
【図９】
0003171018.tif 000016